(57)【要約】      （修正有）【課題】着心地が良く、身体とジャケットの密着性を高めることで作業性を向上させ、高温環境においても身体を十分冷却でき、さらには、安全性が高い身体冷却用衣服を提供する。【解決手段】衣服の表面側に配置されたポケット部と、ポケット部に設けた挿入開口と、ポケット部の挿入開口を閉ざすフラップ状のメッシュ材とを有する。衣服及びポケット部の素材は、メッシュ材によって構成される。ポケット部は、衣服の表面から立ち上がるポケット部側面と、衣服の表面と対峙するポケット部表面とで構成され、フラップ状のメッシュ材は、衣服の表面から立ち上がるフラップ部側面と、ポケット部表面と密着するフラップ部表面とで構成される。【選択図】図１
0003153390.tif 000002
【実用新案登録請求の範囲】
【請求項１】
上着の下に着用する身体冷却用の衣服であって、
前記衣服を着用時に前記衣服の表面側に配置されたポケット部と、
保冷材を前記ポケット部の中に収納可能にする前記ポケット部に設けた挿入開口と、
前記ポケット部の前記挿入開口を閉ざすフラップ状のメッシュ材とを有し、
前記ポケット部に収納する前記保冷材の冷却力によって、前記衣服を着用した着用者の体を冷却することができる身体冷却用衣服において、
前記衣服及び前記ポケット部の素材は、多数の小孔が全面に配置されたメッシュ材によって構成され、
前記ポケット部は、前記衣服の表面から立ち上がるポケット部側面と、前記衣服の表面と対峙するポケット部表面とで構成され、
前記フラップ状のメッシュ材は、前記衣服の表面から立ち上がるフラップ部側面と、前記ポケット部表面と密着するフラップ部表面とで構成され、
前記衣服を着用時には、前記衣服が着用者の体にフィットすると共に、前記ポケット部側面と前記フラップ部側面とによって、前記衣服と前記上着との間のポケット部のない部分に形成される隙間に、前記ポケット部に収納する前記保冷材の冷気が拡散して、前記小孔を介して着用者の体温を低く維持することを特徴とする身体冷却用衣服。
【請求項２】
前記衣服のメッシュ材の端部の全周には、細幅布によって端面処理がなされていることを特徴とする請求項１に記載の身体冷却用衣服。
【請求項３】
前記ポケット部のある部分の少なくとも１箇所の前記衣服には、熱伝導を阻害する保護板が配置され、前記衣服の着用時に着用者の首部に位置する前記ポケット部の前記保護板は、断熱性のほかに柔軟性を持っている軟質部材で形成されていることを特徴とする請求項１または２に記載の身体冷却用衣服。
【請求項４】
前記保冷材は、ドライアイスブロックもしくはドライアイスぺレットの集合体によって構成されていることを特徴とする請求項１ないし３のいずれか１項に記載の身体冷却用衣服。
【請求項５】
前記保冷材を構成するドライアイスは、新聞紙に包まれた状態で前記ポケット部に収納可能になっていることを特徴とする請求項４に記載の身体冷却用衣服。
【請求項６】
前記衣服の前部には、前記衣服の着用時に着用者の体にフィットさせるサイズ調整具を備えていることを特徴とする請求項１ないし５のいずれか１項に記載の身体冷却用衣服。
【請求項７】
前記サイズ調整具には、ワンタッチで前記衣服の前部が開放できるロック機構が取付けられていることを特徴とする請求項６に記載の身体冷却用衣服。
【請求項８】
前記衣服の着用時に着用者の側体部に対応する位置に前記ポケット部が配置されており、その位置の前記ポケット部によって、保冷材の冷気が着用者の前部と後部に拡散する前記隙間を構成していることを特徴とする請求項１ないし７のいずれか１項に記載の身体冷却用衣服。
【請求項９】
前記ポケット部の前記ポケット部表面と、前記フラップ部表面との密着部には圧着ファスナーが配置されていることを特徴とする請求項１ないし８のいずれか１項に記載の身体冷却用衣服。
【考案の詳細な説明】
【技術分野】
【０００１】
本考案は、屋外や高温条件下で作業する作業者の作業着、又は、釣りその他のレジャー用、あるいは盛夏の外出着等として、身体が高温状態になることによる熱中症等の危険から、身体への負担を軽減し、安全を確保するための身体冷却用衣服に関するものである。
【背景技術】
【０００２】
従来技術として、ドライアイスの昇華に伴い、その昇華したガス状二酸化炭素により身体を冷却するジャケットが知られている。（特許文献１）
【０００３】
しかし、このようなジャケットでは、昇華したガス状二酸化炭素で冷却するため、身体とジャケットの間に冷却剤であるドライアイスを挿入する必要があり、着心地が悪かった。また、身体とジャケットの間に空間を作る必要があるので、身体にジャケットが十分密着せず、作業性が悪かった。さらに、身体の熱を下げるのに効果的な首部が十分に冷却されていないという欠点があった。
【特許文献１】特開昭５２−１５７４７号公報
【考案の概要】
【考案が解決しようとする課題】
【０００４】
本考案は、上記した事情に鑑み、着心地が良く、身体とジャケットの密着性を高めることで作業性を向上させ、高温環境においても身体を十分冷却でき、さらには、安全性が高い身体冷却用衣服を提供することを課題としている。
【課題を解決するための手段及び考案の効果】
【０００５】
上記課題を解決するための本考案の身体冷却用衣服は、上着の下に着用する身体冷却用の衣服であって、前記衣服を着用時に前記衣服の表面側に配置されたポケット部と、保冷材を前記ポケット部の中に収納可能にする前記ポケット部に設けた挿入開口と、前記ポケット部の前記挿入開口を閉ざすフラップ状のメッシュ材とを有し、前記ポケット部に収納する前記保冷材の冷却力によって、前記衣服を着用した着用者の体を冷却することができる身体冷却用衣服において、前記衣服及び前記ポケット部の素材は、多数の小孔が全面に配置されたメッシュ材によって構成され、前記ポケット部は、前記衣服の表面から立ち上がるポケット部側面と、前記衣服の表面と対峙するポケット部表面とで構成され、前記フラップ状のメッシュ材は、前記衣服の表面から立ち上がるフラップ部側面と、前記ポケット部表面と密着するフラップ部表面とで構成され、前記衣服を着用時には、前記衣服が着用者の体にフィットすると共に、前記ポケット部側面と前記フラップ部側面とによって、前記衣服と前記上着との間のポケット部のない部分に形成される隙間に、前記ポケット部に収納する前記保冷材の冷気が拡散して、前記小孔を介して着用者の体温を低く維持することを特徴とする。
【０００６】
以上のような構成から、ポケット部が着用時に衣服の表面側にあることから、ポケット部が衣服の裏面側にある物に比べ着心地がよい。また、衣服及びポケット部の素材は、多数の小孔が全面に配置されたメッシュ材によって構成されているので、通常の生地より通気性が良くなり、保冷材からの冷気を十分身体に伝えることができる。
【０００７】
さらに、衣服を着用したときポケット部側面とフラップ部側面とによって、衣服と上着との間のポケット部のない部分に隙間が形成されるので、その隙間に多数の小孔からの保冷材の冷気が流れ、身体冷却により効果的である。
【０００８】
また、前記衣服のメッシュ材の端部の全周には、細幅布によって端面処理がなされていることを特徴とする。
【０００９】
メッシュ材の端部の全周が、細幅布によって端面処理がなされているので、端部の生地がほつれる心配がない。
【００１０】
また、前記ポケット部のある部分の少なくとも１箇所の前記衣服には、熱伝導を阻害する保護板が配置され、前記衣服の着用時に着用者の首部に位置する前記ポケット部の前記保護板は、断熱性のほかに柔軟性を持っている軟質部材で形成されていることを特徴とする。
【００１１】
衣服本体及びポケット部はメッシュ材で覆われているので、密接状態に近い体からの体温で、急速に保冷材の効果を減少させるおそれがある。そこで、保護板を設けることで、熱伝導性を阻害し、保冷材の効果を保つことができる。
【００１２】
さらに、通常は肌着の上から身体冷却用衣服を着るので、胸部、背部、腹側部等に関しては、直接保冷材が肌と触れるおそれはないが、首部に関しては直接保冷材と肌がメッシュ材を介して触れるおそれがあった。しかし、身体を冷却するにあたり首部を冷却することは非常に有効な手段であることが知られている。そこで、本考案では首部に接触する部分にあっては保護板をさらに軟質部材で構成することで、肌と保冷材が直接触れる危険を無くすとともに、肌触りも良くしている。
【００１３】
また、前記保冷材は、ドライアイスブロックもしくはドライアイスぺレットの集合体によって構成されていることを特徴とする。
【００１４】
具体的には、前記保冷材を構成するドライアイスは、新聞紙に包まれた状態で前記ポケット部に収納可能になっていることを特徴とする。
【００１５】
新聞紙は、保水性及び保温性に優れており、低温のドライアイスは、適度に冷却を促進される。さらに、ドライアイスが昇華した後は、新聞紙のみが残り環境にも良い。
【００１６】
また、前記衣服の前部には、前記衣服の着用時に着用者の体にフィットさせるサイズ調整具を備えていることを特徴とする。
【００１７】
具体的には、前記サイズ調整具には、ワンタッチで前記衣服の前部が開放できるロック機構が取付けられていることを特徴とする。
【００１８】
上記構成のように、サイズ調整具を有しているので、様々な体型の人に効果的に身体冷却用衣服をフィットさせることができる。さらに、ロック機構が備えられており、ワンタッチで衣服の前部の開放ができるので、衣服の着脱が容易である。
【００１９】
また、前記衣服の着用時に着用者の側体部に対応する位置に前記ポケット部が配置されており、その位置の前記ポケット部によって、保冷材の冷気が着用者の前部と後部に拡散する前記隙間を構成していることを特徴とする。
【００２０】
上記構成のように、身体の側部にポケット部が位置しているので、身体側部においてもポケット部と上着との間に隙間が形成され、ポケット部に収納された保冷材からの冷気が身体の前後を流れ、身体全体を満遍無く冷却することができる。
【００２１】
また、前記ポケット部の前記ポケット部表面と、前記フラップ部表面との密着部には圧着ファスナーが配置されていることを特徴とする。
【００２２】
ポケット部表面とフラップ部表面との密着部が圧着ファスナーで形成されていることから、保冷材の出し入れが簡単にできる。さらに、ポケット部に形成されたフラップ部により、保冷材が外に飛び出すのを防ぐ効果がある。
【図面の簡単な説明】
【００２３】
【図１】第１実施例の身体冷却用衣服１の正面図である。
【図２】第１実施例の身体冷却用衣服１の背面図である。
【図３】新聞紙５２によりドライアイス５０を包む様子を示した図である。
【図４】複数箇所のポケット部を模式的に１箇所ポケット部７としてあらわし、紙材包装ドライアイス５４の収納の様子を示した図である。
【図５】人体に身体冷却用衣服１を装着したときのポケット部７においての断面をあらわした図である。
【図６】身体冷却用衣服１を装着する様子を示す図である。
【図７】身体冷却用衣服１を装着した様子を側面から見た図である。
【図８】第２実施例の身体冷却用衣服１の正面図である。
【図９】第３実施例の身体冷却用衣服１の正面図である。
【図１０】第４実施例の身体冷却用衣服１の背面図である。
【図１１】第５実施例の身体冷却用衣服１の正面図である。
【図１２】第６実施例の身体冷却用衣服１の正面図である。
【図１３】第７実施例の身体冷却用衣服１の正面図及び着用の様子を示す図である。
【考案を実施するための最良の形態】
【００２４】
以下、本考案の実施形態を、図面を参照しながら説明する。
【実施例１】
【００２５】
図１において、第１実施例の身体冷却用衣服１の構成について説明する。図１は、身体冷却用衣服１の正面図である。身体冷却用衣服１の生地には、多数の小孔が全面に配置されたメッシュ材２が全体に使用されている。前身頃３において、胸部２０にあたる位置には左右対称に胸部ポケット部３０が設けられ、両腹側部２４にあたる部分には、腹側部ポケット部３４が対称的に設けられている。また、首部２６にあたる部分には、保護板として直接肌と接する部分に、断熱機能のある軟質部材９が設けられている。腕部２１にあたる部分は、袖のないベスト型をしている。さらに、前身頃３は中央で左右に分断されている状態で、長さ調整部４２を有したサイズ調整具４０により、中央で３箇所連結されている。
【００２６】
図２は第１実施例の身体冷却用衣服１の背面図である。身体冷却用衣服１の生地には、図１の正面図と同様にメッシュ材２が全体に使用されている。首部２６にあたる部分には首部ポケット部３６が設けられている。また、後身頃４において背部２２にあたる部分には、背部ポケット部３２が上下に１つずつ設けられられている。両腹側部２４にあたる部分には、腹側部ポケット部３４が対称的に設けられている。
【００２７】
なお、各ポケット部の位置は身体冷却用衣服１を着用して使用する場所、用途に応じて、着用者の身体を冷却する為の最適となる場所にポケット部を配置し、利用することができる。
【００２８】
図３は、ブロック状のドライアイス５０用い、新聞紙５２により包む様子を示した図である。あらかじめ短冊状に切断されたドライアイス５０を新聞紙５２で包むと紙材包装ドライアイス５４のようになる。ここで、ドライアイス５０はブロック状ではなく、ペレット状の物を紙に包み一体化するようにしてもよい。また、新聞紙５２は保水性及び保温性に優れた他の紙等を用いることもできるが、身近にある新聞紙を用いると便利性がよい。
【００２９】
図４は、複数箇所のポケット部を説明のために模式的に１箇所ポケット部７としてあらわし、保冷材としての紙材包装ドライアイス５４の収納の様子を示した図である。図４（ａ）のポケット部７において、ポケット部７も身体冷却用衣服１の本体と同様、メッシュ材２により構成されている。また、ポケット部形成用メッシュ材１１の上側に形成したポケット部７の挿入口１９を閉ざすことができる部位には、フラップ状のメッシュ材１２が縫い合わされている。
【００３０】
図４（ｂ）は、紙材包装ドライアイス５４をポケット部７に収納する様子を示した図である。ポケット部形成用メッシュ材１１は、衣服表面１０から立ち上がるポケット部側面１４と衣服表面１０に対峙するポケット部表面１５から構成されており、紙材包装ドライアイス５４が収納される前段階では、ポケット部側面１４が折りたたまれている。紙材包装ドライアイス５４を収納する際は、フラップ状のメッシュ材１２を上部に開いて挿入開口１９を形成し、折りたたまれていたポケット部側面１４を伸ばすことで、衣服表面１０とポケット部表面１５との間に空間を作る。そして、その空間の中に紙材包装ドライアイス５４を収納する。また、ポケット部形成用メッシュ材１１とフラップ状のメッシュ材１２には、それぞれ圧着ファスナー１３ａと１３ｂが設けられており、それらの着脱によりフラップ状のメッシュ材１２によって前記挿入開口１９の開閉が可能となる。
【００３１】
図４（ｃ）は、紙材包装ドライアイス５４がポケット部７に収納された様子を示した図である。フラップ状のメッシュ材１２は、圧着ファスナー１３ａと１３ｂにより定位置で固定したとき、ポケット部７において蓋状体１６として機能している。そして、蓋状体１６は、衣服表面１０から立ち上がるフラップ部側面１７とポケット部表面１５に密着するフラップ部表面１８により構成される。また、紙材包装ドライアイス５４を収納後もポケット部７全体がメッシュ材２で構成されているので、外部から紙材包装ドライアイス５４を確認できる。さらに、紙材包装ドライアイス５４が昇華した後は、ポケット部側面１４及びフラップ部側面１７が折りたたまれ、ポケット部７の厚みが薄くなる。
【００３２】
図５は、人体に身体冷却用衣服１を装着したときのポケット部７においての断面をあらわした図である。図５において、人体側には肌着６０、外部側には上着６１をそれぞれ着用しているものとする。身体冷却用衣服１及びポケット部７はメッシュ材２により構成されているので、紙材包装ドライアイス５４からの冷気５６があらゆる方向に拡散されていることが分かる。
【００３３】
図１、２に示すように、メッシュ材２を身体冷却用衣服１の全面に使うことで、通常の生地より通気性が良くなる。また、図４に示すように、ポケット部７についても全面にメッシュ材２を使用しているため、図５において、身体側及び外部側に紙材包装ドライアイス５４からの冷気５６を十分伝えることができるようになる。また、全面がメッシュ材２で形成されているので、汚れを落とすために洗濯した後は、乾燥が速い。さらに、腕部２１については、大きく開かれた形となっているので、腕の稼動範囲が広がり、作業性が向上する。
【００３４】
メッシュ材２の多数の小孔は、縦が３ｍｍ、横が２ｍｍほどのひし形状の構成とするのが良く、生地の厚みは１ｍｍ程度とするのが良いが、使用状態により適宜変更可能である。また、メッシュ材２の端部全周は細幅布によって端面処理がなされているので端部がほつれるおそれがない。
【００３５】
また、図１、２において、首部２６の後方に位置する場所に首部ポケット部３６が設けられており、直接肌と触れる部分を保護する為の保護板として、軟質部材９が設けられている。熱伝導性を阻害する能力のある保護板は、密接状態に近い体からの体温で急速に保冷材の効果が減少させるのを防ぐことができる。さらに、身体の熱を下げるのに効果的な首を冷却する時において、保護板を軟質部材９で形成すれば、直接肌とドライアイスが触れる危険性が無く、安全面にも効果がある。胸部、背部、腹側部等に関しては、あらかじめ肌着等を身に付けている場所であるので、ドライアイスが直接肌に触れるという危険性は回避できる。また、首部ポケット部３６は、数箇所設けることもできる。
【００３６】
さらに、身体冷却用衣服１の各所に多数配置したポケット部に対して、全てのポケット部に保冷材５０を装着するのではなく、身体冷却用衣服１を使用する場所、用途に応じて、必要箇所のポケット部にのみ保冷材５０を入れて使用することもできる。
【００３７】
図４のように、紙材包装ドライアイス５４をポケット部７に収納すると、フラップ状のメッシュ材１２が蓋状体１６として機能し、作業中に内部に収納された紙材包装ドライアイス５４が外部に飛び出すのを防ぐ。また、圧着ファスナー１３ａ、１３ｂは、ボタンなどの固定及び開閉が可能なものに変更してもよい。
【００３８】
図５のように、ポケット部７に紙材包装ドライアイス５４を挿入することにより、ポケット部７と上着６１との間には、身体冷却用衣服１とポケット部７との間のポケット部７のない部分に、ポケット部７の厚み分の空間によって隙間が形成され、さらにポケット部７は身体冷却用衣服１の複数箇所に設置されているので、身体冷却用衣服１と上着６１との間の隙間を均等に作ることができ、身体に冷気５６をより効果的に充満させることができる。
【００３９】
図６（ａ）は、身体冷却用衣服１を装着する様子を示す図である。肌着６０の上から身体冷却用衣服１を装着するとき、腕部２１に両腕を通し、身体冷却用衣服１を羽織る。サイズ調整具４０が前身頃３の前面に３箇所設けられており、それを図６（ｂ）のように留め具４４により係合する。留め具４４部分はワンタッチで係合できるロック機構から構成されているので、衣服の着脱が容易である。Ａ部拡大図に示すように、サイズ調整具４０は長さ調整部４２を矢印方向に引っ張ることでベルトを締め付けることができ、サイズの調整が可能である。サイズ調整を行うことで、身体冷却用衣服１を身体に十分フィットさせることができると共に、上着との間に確実に冷気が拡散できる隙間を形成することができる。また、サイズ調整具４０の数は、付けうる範囲で変更が可能である。
【００４０】
図７は、身体冷却用衣服１を装着した様子を側面から見た図である。胸部２０、背部２２、腹側部２４、首部２６にあたる位置にそれぞれ、胸部ポケット部３０、背部ポケット部３２、腹側部ポケット部３４、首部ポケット部３６が設けられている。それぞれのポケット部は、身体冷却用衣服１の外側に突出しており、図５のように上着６１を着た場合、上着６１との間に隙間が生じることが分かる。また、首部ポケット部３６が安定して保持されるように首の後方から胸部２０にかけての側部に襟部２７が設けられている。ここで、腹側部ポケット部３４は２箇所配置することもでき、襟部２７上にポケット部を数箇所配置し、首周りを冷却するようにしてもよい。
【実施例２】
【００４１】
図８に身体冷却用衣服１の別形態を示す。前身頃３の前面には、ファスナー７０が設けられており、身体への安定性が向上する。さらにファスナーの前面にサイズ調整具４０が設けられており、サイズ調整も可能である。また、鎖骨部周辺に鎖骨部ポケット部７１が設けられ、保冷材は斜めに配置されることとなる。サイズ調整具４０を無くし、ファスナー７０のみとしてもよい。
【実施例３】
【００４２】
図９に身体冷却用衣服１の別実施例を示す。前身頃３と後身頃４とは肩部７３において接合されており、側面はサイズ調整具７５により固定されている。このサイズ調整具７５にはワンタッチのロック機構が無くてもよい。前身頃３の下方には腹前部ポケット部７２が左右対称に設けられている。前身頃３の前面はファスナー７０により開閉できる構成である。
【実施例４】
【００４３】
図１０に身体冷却用衣服１の別実施例を示す。後身頃４の背部２２には上下に２箇所ずつ背部ポケット部３２が左右対称に配置されている。このように、ポケット部を増やすことでより広範囲に冷気が行き渡ることができると共に、図５のように上着６１を着用するとき、均等に上着６１を浮き上がらせることができる。また、ポケット部は可能な範囲において増やすことができる。
【実施例５】
【００４４】
図１１に身体冷却用衣服１の別実施例を示す。前身頃３は、長袖形状となっており、その長袖部７６の適当な部位に腕部ポケット部７７を配置し、紙材包装ドライアイス５４を収納することができる。腕部ポケット部７７は数箇所配置してもよい。
【実施例６】
【００４５】
図１２に身体冷却用衣服１の別実施例を示す。前身頃３は、半袖形状となっており、着丈が長くなっている。着丈が長くなった部分において、適当な部位に足部ポケット部７８を配置し、紙材包装ドライアイス５４を収納することができる。袖部７９にポケット部を配置してもよい。
【実施例７】
【００４６】
図１３に身体冷却用衣服１の別実施例を示す。前身頃３の中央部や下方部に伸縮ゴム部８０が使用されることで、人体の頭上からかぶって腕部２１に腕を通して着用するようにしたものである。
【符号の説明】
【００４７】
１      身体冷却用衣服
２      メッシュ材
３      前身頃
４      後身頃
７      ポケット部
９      軟質部材
３０    胸部ポケット部
３２    背部ポケット部
３４    腹側部ポケット部
３６    首部ポケット部
４０    サイズ調整具
５０    ドライアイス
５４    保冷材（紙材包装ドライアイス）
【図１】
0003153390.tif 000003
【図２】
0003153390.tif 000004
【図３】
0003153390.tif 000005
【図４】
0003153390.tif 000006
【図５】
0003153390.tif 000007
【図６】
0003153390.tif 000008
【図７】
0003153390.tif 000009
【図８】
0003153390.tif 000010
【図９】
0003153390.tif 000011
【図１０】
0003153390.tif 000012
【図１１】
0003153390.tif 000013
【図１２】
0003153390.tif 000014
【図１３】
0003153390.tif 000015